(57)【要約】【課題】ギター型の電子弦楽器において、ギターらしいハーモニクス奏法を実現する。【解決手段】フレット操作子１を手で触れることにより、第１タッチセンサ１２で第１検出信号Ｄ１を出力する。フレット操作子１を押すことにより接点スイッチ１１がオンとなり音高データを検出する。弦入力部１１０の疑似弦１１０ａの撥弦を弾弦センサ１１０ｄで検出する。フレット操作子１に対する弱タッチの検出と撥弦強さの所定値以上の検出により、ハーモニクスの楽音を発生する。フレット操作子１による音高データの検出と撥弦により、ノーマルの楽音を発生する。【選択図】      図１
2004258434.tif 000002
【特許請求の範囲】
【請求項１】
指板部に設けられた音高を指定するための音高指定操作子と、指板部以外の支持体に設けられた発音タイミングをコントロールするためのタイミング指定操作子と、上記両操作子の操作にて楽音を発生する楽音発生手段とを有する電子楽器において、
前記音高指定操作子で操作されたときにそのタッチデータを発生する第１タッチデータ発生手段と、
前記タイミング指定操作子で操作されたときにそのタッチデータを発生する第２タッチデータ発生手段と、
第１タッチデータ発生手段で発生したタッチデータを検出し、タッチ有りで且つ該タッチデータの第１所定値以下を検出する第１検出手段と、
第２タッチデータ発生手段で発生したタッチデータを検出し、該タッチデータの第２所定値以上を検出する第２検出手段と、
を備え、
前記両操作子の操作にて前記楽音発生手段から楽音を発生する場合、
第１検出手段の検出と第２検出手段の検出との条件成立時と、該条件不成立時とで、前記楽音発生手段から発生する楽音の楽音パラメータを、同一音高指定操作子及び同一タイミング指定操作子の操作時でも異ならせて発生するようにしたことを特徴とする電子楽器。
【請求項２】
前記第１所定値および／または前記第２所定値を可変にしたことを特徴とする請求項１記載の電子楽器。
【請求項３】
前記条件成立時に前記楽音パラメータをハーモニクスの楽音パラメータとし、前記条件不成立時に前記楽音パラメータを通常の楽音パラメータとするすることを特徴とする請求項１または請求項２記載の電子楽器。
【請求項４】
指板部に設けられた音高を指定するための音高指定操作子と、指板部以外の支持体に設けられた発音タイミングをコントロールするためのタイミング指定操作子と、上記両操作子の操作にて楽音を発生する楽音発生手段とを有する電子楽器において、
前記音高指定操作子はタッチセンサを有するとともに、該タッチセンサでのタッチ有り検出を越えたタッチ強さ時に音高指定が決定されるようにしてなり、
該音高指定操作子を該操作子に接触する程度に弱くタッチされたときのみに、そのタッチデータを発生する第１タッチデータ発生手段と、
前記タイミング指定操作子で操作されたときにそのタッチデータを発生する第２タッチデータ発生手段と、
第１タッチデータ発生手段で発生したタッチデータと第２タッチデータ発生手段で発生したタッチデータとの検出にて第１検出信号を発生する第１検出信号発生手段と、
前記前記音高指定操作子による前記音高指定と前記第２タッチデータ発生手段で発生したタッチデータとの検出にて第２検出信号を発生する第２検出信号発生手段と、
を備え、
前記第１検出信号の検出時と第２検出信号の検出時とで楽音発生手段から発生する楽音の楽音パラメータを異ならせて発生するようにしたことを特徴とする電子楽器。
【請求項５】
前記第１検出信号の検出時に前記楽音パラメータをハーモニクスの楽音パラメータとし、前記第２検出信号の検出時に前記楽音パラメータを通常の楽音パラメータとすることを特徴とする請求項４記載の電子楽器。
【請求項６】
前記ハーモニクスの楽音パラメータを発生するときに楽音の音色を変更することを特徴とする請求項３または請求項５記載の電子楽器。
【請求項７】
前記ハーモニクスの楽音パラメータを発生するときに楽音の音量を下げることを特徴とする請求項３または請求項５または請求項６記載の電子楽器。
【請求項８】
前記音量を下げる量をマニュアル調整できることを特徴とする請求項７記載の電子楽器。
【発明の詳細な説明】
【０００１】
【発明の属する技術分野】
本発明は、電子ギター、バイオリン等の電子弦楽器において、ハーモニクス奏法と呼ばれる特殊奏法を実現した電子楽器に関する。
【０００２】
【従来の技術】
従来、例えば特開２００２−２５１１８２号公報に開示された電子弦楽器がある。この電子弦楽器は、ギター型の電子楽器であって、ネック部（棹部）の音高スイッチ部３を押下して音高を指定するとともに、弦入力部５の疑似弦に対する撥弦操作をトリガとして楽音を発生するものである。そして、この弦入力部の撥弦操作に応じて、弱撥から強撥までのタッチ感を付与した楽音を発生することができる。すなわち、このような電子ギターにおいては、生ギターなどの一般的なギターにおける奏法と同様の指板操作及び撥弦操作によって、違和感なく演奏操作を行い、電子音を楽しむことができる。また、電子ギターが内蔵する電子回路には、ファズ、ワウ、トレモロ、ディレイ、リバーブ、サスティーンといった音響効果機能を備えるものもあり、ユーザは、特定のスイッチを操作することにより、演奏に基づいて発音される楽音にこれらの効果を付与することができる。これらの音響効果は、従来のエレクトリックギター等においても、その出力端子にそれらの音響効果を付加させるためのエフェクタ装置を接続して付加するのが通常であり、そのような音響効果の付加方式は、電子ギター等においても変わりはない。
【０００３】
【特許文献１】
特開２００２−２５１１８２号公報
【０００４】
【発明が解決しようとする課題】
ここで、例えばギター奏法自身にも、発音される楽音に音響効果を付加することのできる特殊奏法がある。その中の代表的なものとして、ハーモニクス奏法、カッティング奏法などがある。ハーモニクス奏法では、アコースティックギター、エレクトリックギターを問わずに、指板上の任意のフレットを押弦した状態または開放弦の状態において弾弦し楽音が発生されているときに、その振動中の弦を特定のフレット上で指等によって軽く押させることにより、あるいは、特定フレット上を軽く押さえて弾弦直後に離すことにより、フレットあるいは開放弦で決まる所定の音高に対して特定の倍音を有する楽音を発生させることができる。また、カッティング奏法は、ピックを使ってコード（和音）などを演奏するときにリズムを刻むように演奏する奏法であり、通常は、ピッキングした後に弦を押さえている指（ふつうは左手）を離したりして音を切るが、弦を軽く押さえてピッキングすることでもリズムを刻むような演奏を行うことができる。このような奏法をミュートカッティング奏法ということもある。
【０００５】
しかし、このような特殊奏法は、弦が共鳴板側から指板上にかけて張られている伝統的なギターにおいて、弦の振動の性質を利用することによって初めてその効果を発揮する奏法であり、前述したように、指板上に音高指定用のスイッチ（音高スイッチ部）を有し胴側に発音タイミング生成用にのみ使用される疑似弦を有し、疑似弦の振動が直接には楽音の音高を制御しないような電子ギターでは、その構造上、ハーモニクス奏法やカッティング奏法などの特殊奏法を実現することは困難であった。
【０００６】
本発明は、弦楽器型の電子楽器においても違和感なく特殊奏法を実現することを課題とする。
【０００７】
【課題を解決するための手段】
請求項１の電子楽器は、フレットスイッチ等の音高指定操作子で操作されたときのタッチデータが第１所定値以下で、疑似弦等のタイミング指定操作子で操作されたときのタッチデータが第２所定値以上という条件が成立した場合と、件不成立時とで、同一音高指定操作子及び同一タイミング指定操作子の操作時でも楽音パラメータを異ならせて発生するようにし、条件成立時に特殊奏法を違和感なく実現した。
【０００８】
請求項２の電子楽器は、請求項１に加えて第１所定値および／または第２所定値を可変にして、特殊奏法の操作感を調節できるようにした。
【０００９】
請求項３の電子楽器は、請求項１または請求項２に加えて、前記条件成立時にハーモニクスの楽音パラメータを発生し、ハーモニクス奏法を違和感なく実現した。
【００１０】
請求項４の電子楽器は、フレットスイッチ等の音高指定操作子が接触する程度に弱くタッチされるとともに、疑似弦等のタイミング指定操作子の操作でタッチデータが発生されたとき、第１検出信号を発生して、ハーモニクス等の楽音パラメータを発生する。また、音高指定操作子により、そのタッチセンサでのタッチ有り検出を越えたタッチ強さ時に音高指定が決定されるとともに、タイミング指定操作子の操作でタッチデータが発生されたとき、第２検出信号を発生して、通常の楽音パラメータを発生する。
【００１１】
請求項５の電子楽器は、請求項４に加えて、第１検出信号の検出時にハーモニクスとし、第２検出信号の検出時に通常の楽音とする。
【００１２】
請求項６の電子楽器は、請求項３または請求項５に加えて、ハーモニクスの楽音パラメータを発生するときに楽音の音色を変更し、ハーモニクスらしい音色の楽音とする。
【００１３】
請求項７の電子楽器は、請求項３または請求項５または請求項６に加えて、ハーモニクスのとき楽音の音量を下げて、ハーモニクスらしい音量の楽音とする。
【００１４】
請求項８の電子楽器は、請求項７に加えて、音量を下げる量をマニュアル調整できる。
【００１５】
【発明の実施の形態】
図８は本発明の実施形態の電子楽器の外観図である。この電子楽器はギター型の電子楽器であり、その外観形状などの概略は特開２００２−１９６７５２号公報のものと同様である。ボディ１００の中央にはギターの第１弦〜第６弦に対応して各弦を模した金属ワイヤ製の６つの疑似弦１１０ａを有する弦入力部１１０が配設されている。ネック１２０には、先端のヘッド部１２０ａ側から第１〜第１２フレット１３０が順に配設されており、ヘッド部１２０ａと第１フレット１３０との間と、他の隣接する各フレット１３０，１３０の間には、各疑似弦に対応する複数のフレット操作部１０が配設されている。なお、この実施形態におけるネック１２０は請求項の「指板部」に相当し、フレット操作部１０は請求項の「音高指定操作子」に相当する。また、ボディ１００は「支持体」に相当し、弦入力部１１０は「タイミング指定操作子」に相当する。
【００１６】
ネック１２０のボディ１００側には設定スイッチ１４０と表示部１５０が配設されている。さらに、ボディ１００の後方側には、ハーモニクス時の音量を通常時よりも下げるためのパラメータ（以下、「Ｋ値」という。）を設定するためのＫダイヤル１６０と、弦入力部１１０における弦タッチデータを比較する第２所定値（以下、「Ｔｒｅｆ値」という。）を変更設定可能とするＴｒｅｆダイヤル１７０が配設されている。弦入力部１１０は疑似弦１１０ａに対する撥弦操作により、その撥弦強度に応じたピエゾ素子の出力信号を得るものである。
【００１７】
なお、図８の矢印▲１▼方向を「弦方向」、矢印▲２▼の方向を「フレット方向」という。すなわち、各フレット操作部１０は、６つの疑似弦の各々に対応してフレット方向に６段、第１〜第１２フレット１３０に対応して弦方向に１２段配設された複数のフレットセンサであり、このフレット操作部１０はネック１２０上に計７２個がマトリクス状に配設されている。そして、各フレット操作部１０には、そのフレット操作部１０のあるフレット方向と弦方向の交差位置に対応するギターにおける各弦各フレット位置を押さえた時の音高と同じ音高データ（例えばキーコード）が割当てられる。
【００１８】
図１は第１実施例のフレット操作部１０、弦入力部１１０及びタッチ検出手段の要部概略図であり、フレット操作部１０は図８のＡ−Ａ矢視図、弦入力部１１０は図８のＢ−Ｂ矢視図である。この第１実施例のフレット操作部１０は、該フレット操作部１０を操作するための導電性のフレット操作子１を備えており、このフレット操作子１の摘み部１ａは、弦方向に隣接するフレット１３０，１３０間のほぼ間隔相当の長さを有しフレット方向を弦幅程度の矩形状とする角の丸い短冊状（長尺状）の形状となっている。そして、この摘み部１ａは指板となる上ケース１２０Ａに形成された長形の透孔１２０Ａ１から外側に突出され、このフレット操作子１は図示しない弾性部材等により、非操作時に摘み部１ａの付け根のフランジ部１ｂが透孔１２０Ａ１の周囲で上ケース１２０Ａの裏側に当接するように付勢されている。
【００１９】
フレット操作子１の下には、例えばプリント基板上に形成した固定接点と、この固定接点に対向して配設された可動接点等により、メカ式の接点スイッチ１１が配設されており、フレット操作子１を押すことにより接点スイッチ１１がオンとなりフレット操作子１を離すことによりオフとなる。このオン／オフはフレットオン／オフ信号Ｆｓｗとして出力される。また、上ケース１２０の裏側には導電性の薄膜１２０Ｂが形成されており、この薄膜１２０Ｂは第１タッチセンサ１２に電気的に接続されている。これにより、フレット操作子１を指で触れると、フレット操作子１及び薄膜１２０Ｂを介して第１タッチセンサ１２が電気的に接地され、この第１タッチセンサ１２はハムノイズにより、フレット操作子１への指の接触（タッチ）を弱タッチとして検出し、第１検出信号Ｄ１を出力する。また、フレット操作子１を押し込むと、フレット操作子１が薄膜１２０Ｂから離れて、ハムノイズは発生せず、第１タッチセンサ１２は弱タッチを検出しなくなる。すなわち、「弱タッチ」とはフレット操作子１に指を触れることを意味する。
【００２０】
弦入力部１１０において、疑似弦１１０ａは両端に脚部１１０ａ１を有し、この脚部１１０ａ１の略中央を回動自在に軸支されている。脚部１１０ａ１の下端は弾性板１１０ｂに連結されており、疑似弦１１０ａを弾くことにより該疑似弦１１０と弾性板１１０ｂが変形及び／または振動し、この弾性板１１０ｂに取付られたピエゾ素子１１０ｃにより撥弦強度に応じた撥弦信号Ｖが得られる。この弾性板１１０ｂとピエゾ素子１１０ｃは弾弦センサ１１０ｄを構成している。また、疑似弦１１０は導電性の金属ワイヤで形成されており、この疑似弦１１０ａは第２タッチセンサ１３に電気的に接続されている。これにより、疑似弦１１０ａに指を触れると、第２タッチセンサ１３はハムノイズにより、疑似弦１１０ａへの指の接触を検出し、第２検出信号Ｄ２を出力する。なお、図１では１つのフレット操作部１０及び１弦分の疑似弦１１０ａについて示してあるが、その他のフレット操作部１０及び疑似弦１１０ａについても同様であり、各フレット操作部１０に対応する第１検出信号Ｄ１及びフレットオン／オフ信号Ｆｓｗ、各疑似弦１１０ａに対応する第２検出信号Ｄ２及び撥弦信号Ｖにより、制御回路で楽音発生が制御される。
【００２１】
図２はフレット操作部１０の第２実施例を示す図であり、図８のＡ−Ａ矢視図である。なお、図１の第１実施例と同様な要素には図１と同符号を付記する。フレット操作子１の摘み部１ａは、樹脂製で外観が前記第１実施例と同ような形状の角の丸い短冊状の形状となっており、その下にゴム製で下面が球面状になった弾性体１ｃが取り付けられている。そして、摘み部１ａは上ケース１２０Ａの透孔１２０Ａ１から外側に突出されている。フレット操作子１の下には、可動接点シート２が配設され、さらに可動接点シート２の下に基板３が配設されている。
【００２２】
可動接点シート２はポリエステルのフィルム２ａをベースに導電材を塗布することで基板３側の面に可動接点２ｂを形成したものである。基板３上には可動接点２ｂに対応して固定接点３ａが形成されており、この固定接点３ａは、吹き出し図で平面形状を示したように平行な端子を接近してパターン形成されたカーボン導体である。さらに、基板３の固定接点３ａの両側には、厚幕のレジスト層３ｂが形成されることで、可動接点シート２の可動接点２ｂが固定接点３ａに対して僅かな間隙を空けて対向するように配置され、操作子非押下時には、可動接点シート２のフィルム２ａがレジスト層３ｂに当接している。
【００２３】
以上の構成により、フレット操作子１を押下することにより、可動接点シート２の弾性力に抗して弾性体１ｃが押し下げられ、可動接点２ｂが固定接点３ａに接触し、固定接点３ａが導通してフレット操作部１０のオン状態（フレットオン）が検出される。なお、フレット操作子１の押圧力をなくすと可動接点シート２の弾性回復力により、可動接点２ｂ及びフレット操作子１が図２の状態に戻り、オフ状態（フレットオフ）となる。
【００２４】
また、フレット操作子１の押圧により、弾性体１ｃがフィルム２ａを介して可動接点２ｂを固定接点３ａに押圧する。このとき、可動接点２ｂは固定接点３ａの両端子間を導通するが、弾性体１ｃの下面が球面状になっているので、可動接点２ｂと固定接点３ａの接触面積はフレット操作子１に対する押圧力が大きいほど大きくなる。この接触面積が大きくなると固定接点３ａの両端子間の抵抗値は小さくなり、接触面積が小さくなると両端子間の抵抗値は大きくなる。したがって、この固定接点３ａを介して得られる電圧値から、フレット操作子１に対する押圧力を検出できる。すなわち、この電圧値は、押圧力を大きくすると高くなり、押圧力を小さくすると低くなるので、この電圧値をフレットタッチデータとし、後述の制御回路に入力する。なお、図３は固定接点３ａにおける抵抗値Ｒとフレット操作子１に対する押圧時のストロークの関係を示す図であり、同図にはフレットタッチデータを比較する第１所定値に対応する閾値レベル（弱タッチ検出）とフレットオンとして検出する閾値レベル（フレットオン）を図示してある。このように、弱タッチはフレットオンとならない押圧力で検出される。
【００２５】
図４は実施形態の制御回路のブロック図であり、ＣＰＵ、ＲＡＭ及びＲＯＭからなるマイコン制御部２１、前記多数のフレット操作部１０から構成されるフレット情報入力部２２、前記弦入力部１１０から構成される弾弦入力部２３、音源ブロック２４、サウンドシステム２５及びメモリスロット２６、を備えている。フレット情報入力部２２はフレット操作部１０でフレットオンとなると音高データを入力して出力する音高入力部２２Ａと、フレット操作部１０で指の接触（第１実施例）あるいは弱い押圧（第２実施例）により弱タッチが検出されるとタッチ検出信号を出力するタッチ入力部２２Ｂとで構成されている。また、弾弦入力部２３は弾弦センサ１１０ｄからの撥弦信号Ｖのレベルを入力するレベル入力部２３Ａと疑似弦１１０に指の接触があったとき検出信号を出力する第２タッチセンサ１３からなる指接タッチ入力部２３Ｂから構成されている。
【００２６】
マイコン制御部２１はＲＯＭ等に格納された後述の制御プログラムを実行して全体の制御を行い、フレット情報入力部２２からフレットオン／オフ信号Ｆｓｗ、該フレットオン／オフ信号Ｆｓｗに対応する音高データ（キーコード）及び第１検出信号Ｄ１（弱タッチ）を入力する。また、弾弦入力部２３から第２検出信号Ｄ２及び撥弦信号Ｖを入力する。そして、マイコン制御部２１は、これらの信号に基づいて後述のように楽音発生の制御を行う。なお、マイコン制御部２１は入力した音高データをピッチデータ（周波数）に変換して後述の内部処理を行い、音源ブロック２４に対してピッチデータを音高データに変換して出力する。音源ブロック２４は例えば波形メモリ式の音源であり、通常のギターの音に対応するノーマル楽音と、ハーモニクスに対応するハーモニクス楽音とに対応する楽音信号をそれぞれ発生することができる。そして、この楽音信号によりサウンドシステム２５で楽音が発生される。なお、メモリスロット２６には自動演奏データ、音色設定データなどが記憶されている。
【００２７】
次に、第２実施例のフレット操作部１０を用いた場合の楽音発生の制御について説明する。図５及び図６はマイコン制御部２１のＣＰＵが実行する制御プログラムのメインルーチンのフローチャートであり、図５は主にフレット操作部１０の操作に対応する処理、図６は主に弦入力部１１０の撥弦操作に対応する処理である。なお、これらの処理は時分割処理により各弦に対応する６チャンネル分について処理するものとする。また、以下の処理でｃｈは弦に対応するチャンネル番号を示し、ＰＩＴ（ｃｈ）は発音する楽音のピッチデータ（周波数）を格納するレジスタ、ＰＩＴ′（ｃｈ）はハーモニクスの基音となる基準音のピッチデータ（周波数）を格納するレジスタ、ＴＣ（ｃｈ）は撥弦信号Ｖのレベルを弦タッチデータとして格納するレジスタ、Ｔｆ（ｃｈ）はフレット操作部１０におけるフレットタッチデータを格納するレジスタ、Ｈ（ｃｈ）はハーモニクスの上記基準音に対するピッチデータ（周波数）の変調量を格納するレジスタである。
【００２８】
図５の処理では、先ず図７のパラメータ設定処理を行う。ステップＳ４１，Ｓ４２ではＫダイヤル１６０の変化に応じた値をＫ値に設定し、ステップＳ４３，Ｓ４４ではＴｒｅｆダイヤル１７０の変化に応じた値をＴｒｅｆに設定し、ステップＳ４５，Ｓ４６ではその他の操作子の操作に応じたパラメータの設定を行う。
【００２９】
図５のステップＳ１〜Ｓ３のループでは、音源ブロック２４における６つの疑似弦１１０ａに対応する６つの発音チャンネルについて楽音発生の終了に対応してオフ受信時の処理を行う。すなわち、発音中の楽音信号レベル（エンベロープ信号レベル）が極めてゼロに近くなったことを検出して（Ｓ２）、該チャンネルの全データをリセットする。ステップＳ４〜Ｓ７はフレットオン／オフ信号Ｆｓｗによるフレットオンのイベントに対応する処理、ステップＳ４，Ｓ５，Ｓ８〜Ｓ１０はフレットオフに対応する処理である。ステップＳ６，Ｓ７は、フレットオン時にそのフレットの弦に対応するチャンネルが使用中（発音中）のとき、現イベントが高音側であればステップＳ１１でそのイベントに対応するピッチデータ（周波数）を発音用のピッチレジスタに格納し、高音側でなければ現チャンネルのピッチデータ（ピッチレジスタ）を維持する。この時、Ｓ１１，Ｓ１０いずれも通らないが、前回においていずれかのＦｓｗオン状態でＳ１１を通っているはずの状態を維持することを意味する。これにより、同じ弦で発音中でもその音より高音側のフレットオンであれば新たな楽音が発生されるようになる。また、ステップＳ８，Ｓ９のフレットオフの処理では、オフイベントがその弦で最後にオンとなっているフレットのオンイベントであれば、その弦は開放弦となるので、その開放弦のピッチデータを格納する処理である。以上の処理によりイベントのあったフレット操作部１０及び開放弦に対応するピッチデータがレジスタが格納される。
【００３０】
図６の処理では、ステップＳ１２〜Ｓ１５によって、疑似弦に指が接触した場合に消音する処理をする。すなわち、Ｓ１２で弦走査して、指接弦有りチャンネルを検出し（Ｓ１３）、有りチャンネルのオフ処理（Ｓ１４）、つまりそのチャンネルについて、音源における発音中の楽音を急速弦スリさせ、ゼロレベル近くになったところで、そのチャンネルについて全データをリセット処理する。この時発音中でないこともあるので、その場合は実質的になにもしないことを含んでいる。フレットオン／オフの状態にかかわらず撥弦が検出されるとステップＳ１６〜Ｓ１８によって、そのチャンネルに対応した開放弦が示すピッチデータをハーモニクス音発音の準備のため、ＰＩＴ′（ｃｈ）に取り込み、撥弦信号Ｖのレベル（撥弦センサ値）をタッチデータＴＣ（ｃｈ）として取り込み、撥弦が開放弦であるかを判定する。開放弦であればフレットタッチデータ（Ｔｆ（ｃｈ））はゼロであるはずだから、リセット処理（Ｓ１９）し、結果としてステップＳ１９〜Ｓ２１で開放弦に対応するノーマル楽音を発生する。開放弦でなければステップＳ２２で撥弦のあったチャンネルの操作されたフレット操作部１０の位置（押圧フレット値）を判定して、１２フレット、７フレット、５フレット、４フレットの場合は、ハーモニクスの可能性があるので、ステップＳ２３〜Ｓ２６で、次式に示す各フレットに対応するピッチ変調量Ｒ１２，Ｒ７，Ｒ５，Ｒ４をレジスタに格納する。なお、上記以外のフレットの場合はステップＳ２７で、同一弦内で高音側のフレットを優先する処理をする。
【数１】
2004258434.tif 000003
【００３１】
ステップＳ２８，Ｓ２９は、弦タッチデータが第２所定値（Ｔｒｅｆ）以上で、且つ、フレットタッチデータ（Ｔｆ（ｃｈ））が第１所定値以下という条件が成立するかを判定する。条件が成立した場合は、ステップＳ３０で開放弦のピッチデータに変調量を乗算して実際に発音するピッチデータとするとともに弦タッチデータを小さくして（Ｋ値を乗算して）実際に発音する音量データとする。そして、ステップＳ３１でハーモニクスの音色を選択してステップＳ２１でハーモニクスの楽音を発生する。なお、このステップＳ２８，Ｓ２９が「第１検出信号発生手段」及び「第２検出信号発生手段」であり、条件が成立したことを示す信号が「第１検出信号」、条件が成立しないことを示す信号が「第２検出信号」である。また、ステップＳ３０でピッチデータを変調すること、タッチデータを変更すること、ステップＳ３１でハーモニクスの音色を選択すること、及びステップＳ２０でノーマル楽音を選択することは、それぞれ、対応する楽音パラメータを選択することに対応する。
【００３２】
なお、上記の例では弦タッチデータＴＣと比較する第２所定値（Ｔｒｅｆ）をＴｒｅｆダイヤルでマニュアル設定できるようにしているが、フレットタッチデータＴｆを比較する第１所定値もマニュアル設定できるようにしてもよいし、この第１所定値のみをマニュアル設定できるようにしてもよい。
【００３３】
以上の処理は、第２実施例のフレット操作部１０（図２）に対応する処理であるが、第１実施例のフレット操作部１０（図１）の場合でも略同様な処理とすることができる。この場合、図６のステップＳ２９の判定で、前記第１タッチセンサ１２で第１検出信号Ｄ１（弱タッチ）が検出されているか否かを判定すればよい。検出されていればステップＳ３０以下に進み、フレット操作子１に軽く指が触れられている場合に対応して、ハーモニクスの楽音を発生する。
【００３４】
以上のように、強く撥弦したとき（弦タッチデータが大きいとき）でフレット操作子を軽く押さえたか軽く触れたとき（フレットタッチデータが小さいとき）にハーモニクスの楽音を発生するので、例えばアコースティックギターやエレクトリックギターなどにおけるハーモニクス奏法と同じ奏法でハーモニクスが実現できる。
【００３５】
上記の実施例は特殊奏法としてハーモニクス奏法を例に説明したが、カッティング奏法の楽音を発生するようにしてもよい。特に請求項４では、撥弦トリガとしての第２タッチデータＴＣレベルが大であることを必要要件としないカッティング奏法にも適している。この場合、より適切な実施例としては、図６において、一部フローを変更した実施例とする。すなわち、Ｓ２２の内容を「撥弦有りチャンネルの押圧フレット値は、４以上か」とし、Ｓ２３〜Ｓ２６の処理のかわりに、「なにもしない処理」として、Ｓ２８へのスルー処理とし、Ｓ３０の処理において「ＴＣ（ｃｈ）←ＴＣ（ｃｈ）＊Ｋ」のみとし、Ｓ３１の処理のかわりに「音源種類に（ミュート）カッティングを選択」とする。ただし、Ｓ２８のＴＣ（ｃｈ）が強である必要はなく、メゾピアノ以上でよい。また、Ｓ３０のＫ値も第１実施例（ハーモニクス）より大としてよい。このような処理を実行することにより、カッティング奏法またはミュートカッティング奏法をした場合に、例えば音色効果用のローパスフィルタのカットオフ周波数をロー側にシフトして発生する楽音の音色をハイカットとしたり、楽音波形の振幅の頭をカット（クリップ）したりして、音色に変化を付けることができるので、自然なカッティングの楽音を奏することができる。ミュートカッティングの場合は、Ｋ値を上記よりやや下げるようにするとよい。なお、上記の例において、押圧フレット値を４以上に限ったのは、ローフレットにおいてミュートカッティング奏法はあまり行われないことに鑑みたものであり、ローフレットではノーマルとした。ただし、全フレットでカッティングやミュートカッティングとするようにしてもよい。
【００３６】
【発明の効果】
請求項１の電子楽器によれば、同一音高指定操作子及び同一タイミング指定操作子の操作時でも楽音パラメータを異ならせて発生するようにしたので、条件成立時に特殊奏法を違和感なく実現できる。
【００３７】
請求項２の電子楽器によれば、請求項１と同様な効果が得られるとともに、第１所定値および／または第２所定値を可変にして、特殊奏法の操作感を調節することができる。
【００３８】
請求項３の電子楽器によれば、請求項１または請求項２と同様な効果が得られるとともに、条件成立時にハーモニクスの楽音パラメータを発生するようにしたので、ハーモニクス奏法を違和感なく実現することができる。
【００３９】
請求項４の電子楽器によれば、請求項１と同様にフレットスイッチ等の音高指定操作子が接触する程度に弱くタッチされるとともに、特殊奏法を違和感なく実現できる。
【００４０】
請求項５の電子楽器によれば、請求項と同様な効果が得られるとともに、第１検出信号の検出時にハーモニクスとし、第２検出信号の検出時に通常の楽音とするので、ハーモニクス奏法を違和感なく実現することができる。
【００４１】
請求項６の電子楽器によれば、請求項３または請求項５と同様な効果が得られるとともに、ハーモニクスの楽音パラメータを発生するときに楽音の音色を変更し、ハーモニクスらしい音色の楽音とすることができる。
【００４２】
請求項７の電子楽器によれば、請求項３または請求項５または請求項６と同様な効果が得られるとともに、ハーモニクスのとき楽音の音量を下げて、ハーモニクスらしい音量の楽音とすることができる。
【００４３】
請求項８の電子楽器によれば、請求項７と同様な効果が得られるとともに、に加えて、ハーモニクスの音量を適宜マニュアル調整できる。
【図面の簡単な説明】
【図１】本発明の実施形態における第１実施例のフレット操作部、弦入力部及びタッチ検出手段の要部概略図である。
【図２】本発明の実施形態におけるフレット操作部の第２実施例を示す図である。
【図３】第１実施例のフレット操作部における抵抗値とフレット操作子に対する押圧時のストロークの関係を示す図である。
【図４】本発明の実施形態における制御回路のブロック図である。
【図５】本発明の実施形態における撥弦操作に対応する処理のフローチャートである。
【図６】本発明の実施形態におけるフレット操作に対応する処理のフローチャートである。
【図７】本発明の実施形態におけるパラメータ設定処理のフローチャートである。
【図８】本発明の実施形態の電子楽器の外観図である。
【符号の説明】
１００…ボディ、１１０ａ…疑似弦、１１０…弦入力部、１０…フレット操作部、１６０…Ｋダイヤル、１７０…Ｔｒｅｆダイヤル、１…フレット操作子、１２…第１タッチセンサ（第１タッチデータ発生手段）、２３Ａ…レベル入力部（第２タッチデータ発生手段）
【図１】
2004258434.tif 000004
【図２】
2004258434.tif 000005
【図３】
2004258434.tif 000006
【図４】
2004258434.tif 000007
【図５】
2004258434.tif 000008
【図６】
2004258434.tif 000009
【図７】
2004258434.tif 000010
【図８】
2004258434.tif 000011